(57)【要約】【課題】吸収体の横方向からの液漏れを抑制することができるともに、吸収体の吸収容量を有効活用でき、しかも吸収体の縦方向の端部付近に血球凝集塊の赤味が生じることによる使用者の漏れ不安を防止することができる吸収性物品を提供すること。【解決手段】肌対向面に、表面シート２と吸収体４とが一体的に窪んだ防漏溝として、排泄スポット部Ｐを挟んでその左右両側に形成され縦方向に延びる側方防漏溝８１と、排泄スポット部Ｐを挟んでその前後に形成され横方向に延びる前方及び後方防漏溝８２，８３とを有し、吸収体４の肌対向面側の面を形成するか又は該吸収体４より肌対向面側に位置する部材４２ａに血球凝集剤が配され、血球凝集剤は、排泄スポット部Ｐに存在し、且つ横方向については、吸収体４の横方向の両端に達しないように配され、縦方向については、前方及び防漏溝８２，８３の少なくとも一方を越える位置まで配されている。【選択図】図３
2019083863.tif 000002
【特許請求の範囲】
【請求項１】
肌対向面を形成する液透過性の表面シート、非肌対向面を形成する裏面シート及びこれら両シート間に配されている吸収体を備え、着用者の前後方向に沿う縦方向及び該縦方向に直交する横方向を有する経血吸収用の吸収性物品であって、
前記表面シートと前記吸収体とが一体的に窪んだ防漏溝として、着用者の液排泄部が対向配置される排泄スポット部を挟んでその左右両側に形成され、それぞれ前記縦方向に延びる側方防漏溝と、前記排泄スポット部を挟んでその前後に形成され、それぞれ前記横方向に延びる前方及び後方防漏溝とを有しており、
前記吸収体の前記肌対向面側の面を形成するか又は該吸収体より前記肌対向面側に位置する部材に血球凝集剤が配されており、前記血球凝集剤は、前記横方向については、前記排泄スポット部に存在し且つ前記吸収体の前記横方向の両端に達しないように配されており、前記縦方向については、前記排泄スポット部に存在し且つ前記前方及び後方防漏溝の少なくとも一方を越える位置まで配されている、吸収性物品。
【請求項２】
前記吸収性物品が、一対のウイング部を有し、前記前方防漏溝及び前記後方防漏溝が、該ウイング部の前端より前方に位置する前方部及び該ウイング部の後端より後方に位置する後方部に形成されている、請求項１に記載の吸収性物品。
【請求項３】
前記側方防漏溝よりも前記横方向の外側に、該側方防漏溝に沿って延びる第２側方防漏溝を有しており、前記血球凝集剤は、前記排泄スポット部の左右両側それぞれにおいて、前記第２側方防漏溝より内側のみに配されている、請求項１又は２に記載の吸収性物品。
【請求項４】
前記血球凝集剤は、前記排泄スポット部の左右両側それぞれにおいて、前記側方防漏溝より内側のみに配されている、請求項１又は２に記載の吸収性物品。
【請求項５】
前記側方防漏溝と、前記前方防漏溝とが連続しているか、又は該側方防漏溝と前記後方防漏溝とが連続している、請求項１〜４の何れか１項に記載の吸収性物品。
【請求項６】
前記前方防漏溝及び後方防漏溝のうち、前記血球凝集剤がその防漏溝を越えて存在する方の防漏溝と前記側方防漏溝とが連続している、請求項１〜４の何れか１項に記載の吸収性物品。
【請求項７】
前記防漏溝は、底部に高圧搾部と低圧搾部とを有している、請求項１〜６の何れか１項に記載の吸収性物品。
【発明の詳細な説明】
【技術分野】
【０００１】
本発明は、経血吸収用の吸収性物品に関する。
【背景技術】
【０００２】
生理用ナプキン等の経血吸収用の吸収性物品については、経血の平面方向への拡散を、表面シートと吸収体とが一体的に窪んだ防漏溝により制御し、吸収性能や漏れ防止性能を向上させることが行われている。
例えば、縦方向の両側部に、吸収性物品の縦方向に延びる一対の側方防漏溝を設けて、吸収体の横方向の両端からの経血が漏れを防止することが広く行われている。また、吸収性物品の前方部や後方部に、横方向に延びる防漏溝を設けて、吸収体の縦方向の両端からの経血の漏れを防止することも行われている。
【０００３】
また経血吸収用の流体処理剤を吸収性物品に適用して、経血の吸収性能を向上させる技術が知られている。例えば、特許文献１には、多価イオンの塩を含有する吸収性パッドを含む月経帯が開示されている。また、本出願人は、先に、水溶性の金属化合物を含む血液凝固剤を、吸収性コアに含有した吸収性物品を提案した（特許文献２参照）。
【先行技術文献】
【特許文献】
【０００４】
【特許文献１】特公昭３８−１７４４９号公報
【特許文献２】特開２００５−２８７９９７号公報
【発明の概要】
【発明が解決しようとする課題】
【０００５】
しかし、防漏溝として、吸収性物品の前方部や後方部に、横方向に延びる防漏溝を設けると、該防漏溝より先への経血の拡散が抑制されるため、結果として、吸収体に液を吸収しない部分が多く残ることになり、吸収体の利用効率が低下する。
また、本発明者らは、赤血球の凝集塊の形成能が高い血球凝集剤が、ナプキンの吸収領域の全域に配置されていると、ナプキンの側部や前後部に、血球の凝集塊による赤味が強く表れ、着用者が、使用後のナプキンを取り外して見たときに漏れが生じたのではないかと心配になる場合があるとの知見を得た。
【０００６】
本発明の課題は、前述の従来技術が有する解決課題を解決し得る吸収性物品を提供することに関する。
【課題を解決するための手段】
【０００７】
本発明は、肌対向面を形成する液透過性の表面シート、非肌対向面を形成する裏面シート及びこれら両シート間に配されている吸収体を備え、着用者の前後方向に沿う縦方向及び該縦方向に直交する横方向を有する経血吸収用の吸収性物品であって、前記表面シートと前記吸収体とが一体的に窪んだ防漏溝として、着用者の液排泄部が対向配置される排泄スポット部を挟んでその左右両側に形成され、それぞれ前記縦方向に延びる側方防漏溝と、前記排泄スポット部を挟んでその前後に形成され、それぞれ前記横方向に延びる前方及び後方防漏溝とを有しており、前記吸収体の前記肌対向面側の面を形成するか又は該吸収体より前記肌対向面側に位置する部材に血球凝集剤が配されており、前記血球凝集剤は、前記横方向については、前記排泄スポット部に存在し且つ前記収体の前記横方向の両端に達しないように配されており、前記縦方向については、前記排泄スポット部に存在し且つ前記前方及び後方防漏溝の少なくとも一方を越える位置まで配されている、吸収性物品を提供するものである。
【発明の効果】
【０００８】
本発明の吸収性物品によれば、吸収体の横方向からの液漏れを抑制することができるとともに、吸収体の吸収容量を有効活用でき、しかも吸収体の縦方向の端部付近に血球凝集塊の赤味が生じることによる使用者の漏れ不安を防止することができる。
【図面の簡単な説明】
【０００９】
【図１】図１は、本発明の一実施形態である生理用ナプキンを肌対向面側から視た平面図である。
【図２】図２は、図１のＩＩ−ＩＩ線模式断面図である。
【図３】図３は、図１に示す生理用ナプキンの吸収体を肌対向面側から視た模式平面図であり、血球凝集剤が配されている部位が斜線部で示されている。
【図４】図４は、本発明の他の実施形態である生理用ナプキンの吸収体の図３相当図である。
【図５】図５は、底部に高圧搾部及び低圧搾部を設けた防漏溝の例を示す拡大平面図である。
【発明を実施するための形態】
【００１０】
以下、本発明の経血吸収用の吸収性物品を、その好ましい実施形態に基づき図面を参照しつつ説明する。
本発明の一実施形態である生理用ナプキン１（以下、ナプキン１ともいう。）は、経血吸収用の吸収性物品であり、図１及び図２に示すように、肌対向面を形成する液透過性の表面シート２、非肌対向面を形成する裏面シート３及びこれら両シート２，３間に配されている液保持性の吸収体４を備えている。表面シート２、吸収体４及び裏面シート３は、一体化されて吸収性本体５を構成している。吸収性本体５の長手方向両側部の表面シート２側には、サイド防漏シート６が配されている。
サイド防漏シート６は、表面シート２に接合されていない自由端６１と、表面シート２に接合された固定端６２とを有しており、使用時には、固定端６２と自由端６１との間が表面シート２から離間し、側方への横漏れを防止する防漏ポケット（図示せず）を形成する。吸収性本体５の非肌対向面側の面にはショーツのクロッチ部への固定に用いられる本体粘着部（図示せず）が設けられている。また、ナプキン１は、縦方向Ｘにおける両側部に、一対のウイング部７を有している。一対のウイング部７の裏面シート３側の面には、ショーツのクロッチ部の非肌対向面への固定に用いられるウイング部粘着部（図示せず）が設けられている。
【００１１】
表面シート２、裏面シート３、サイド防漏シート６としては、生理用ナプキン等の吸収性物品に従来使用されている各種のもの等を特に制限なく用いることができる。例えば、表面シート２としては、単層又は多層構造の不織布や、開孔フィルム等を用いることができる。表面シート２は、肌対向面側に凹凸を有するものであっても良く、また構成繊維の表面に親水性を制御する目的の剤等の油剤が付着しているものであっても良い。表面シート２が多層構造のものである場合、該表面シート２として、着用者の肌に近い側に位置する第１繊維層と、着用者の肌から遠い側に位置する第２繊維層とを有し、両繊維層が、部分的に形成された多数の接合部によって厚さ方向に一体化されており、第１繊維層における、複数の該接合部どうし間に位置する部分が凸状に隆起して、前記凹凸形状の凸部を形成している凹凸シートを用いることができる。凸部が中実構造である凹凸シートとしては、例えば特開２００７−１８２６６２号公報や特開２００２−１８７２２８号公報に記載のものを用いることができる。裏面シート３としては、樹脂フィルムや樹脂フィルムと不織布と積層体等を用いることができる。裏面シート３は、液不透過性（液難透過性も含む）又は撥水性のものが用いられ、透湿性の樹脂フィルム等を用いることも好ましい。サイド防漏シート６としては、耐水圧の高い積層不織布、樹脂フィルムと不織布との積層体等を用いることができる。
【００１２】
ナプキン１は、図１に示すように、着用者の前後方向に沿う縦方向Ｘ及び該縦方向Ｘに直交する横方向Ｙを有している。またナプキン１は、横方向Ｙ中央部に膣口等の着用者の液排泄部に対向配置される排泄スポット部Ｐを有する排泄部対向部Ｂと、該排泄部対向部Ｂより着用者の前側に配される前方部Ａと、該排泄部対向部Ｂより着用者の後側に配される後方部Ｃとを有している。即ち、ナプキン１は、縦方向Ｘに、前方部Ａ、排泄部対向部Ｂ及び後方部Ｃにこの順番に区分される。
【００１３】
本発明の吸収性物品において、肌対向面は、吸収性物品（ナプキン１）における、着用時に着用者の肌側に向けられる面であり、非肌対向面は、吸収性物品（ナプキン１）における、着用時に肌側とは反対側（通常着衣側）に向けられる面である。排泄スポット部Ｐとは、ナプキン１等の吸収性物品の着用時に、着用者の膣口等の液排泄部に対向配置され、経血が直接的に供給される部位であり、通常、前述した排泄部対向部Ｂの縦方向Ｘ及び横方向Ｙの中央部に位置している。
【００１４】
本発明の吸収性物品において、排泄部対向部Ｂとは、本実施形態のナプキン１のように、ウイング部を有する場合には、吸収性物品の縦方向Ｘにおいてウイング部を有する領域（一方のウイング部の縦方向Ｘに沿う付け根と他方のウイング部の縦方向Ｘに沿う付け根とに挟まれた領域）を意味する。また、吸収性物品が、ウイング部を有しない場合には、吸収性物品を、その縦方向Ｘの全長を三等分して３領域に区分したときの中央の領域を排泄部対向部Ｂとすることができる。
【００１５】
ナプキン１においては、表面シート２は、吸収体４の肌対向面側の全域を被覆し、裏面シート３は、吸収体４の非肌対向面側の全域を被覆している。表面シート２及び裏面シート３は、吸収体４の縦方向Ｘの両端縁からの延出部分が互いに接合されている。また裏面シート３及びサイド防漏シート６は、吸収体４の縦方向Ｘに沿う両側縁から横方向Ｙの外方に延出した部分が互いに接合されている。このようにして、吸収体４が表面シート２と裏面シート３とで挟持され、表面シート２又はサイド防漏シート６と裏面シート３とがナプキン１の外縁部全周で接合されている。ナプキン１を構成するシート間の接合には、接着剤、ヒートシール、超音波シール等の任意の接合手段が用いられる。
【００１６】
本実施形態のナプキン１の吸収体４は、図２に示すように、セルロース系の親水性繊維を含む吸収性コア４１と該吸収性コア４１を被覆するコアラップシート４２とを有している。
コアラップシート４２は、吸収性コア４１の肌対向面側を被覆する上側部分４２ａと、吸収性コア４１の非肌対向面側に巻き下げられて、該吸収性コア４１の非肌対向面側を被覆する下側部分４２ｂとを有している。また、コアラップシート４２は、下側部分４２ｂにシートどうしの重なり部４２ｃを有している。
吸収性コア４１を被覆するコアラップシートは、一枚のシートで吸収性コア４１の全体を包んでいても良いし、２枚以上のシートで吸収性コア４１の全体を包んでいても良い。例えば、吸収性コア４１の肌対向面側と非肌対向面側とが別々のシートで被覆されていても良い。吸収性コア４１の被覆に使用されているシートの枚数に拘わらずに、吸収性コア４１の肌対向面側を被覆しているコアラップシートを肌側コアラップシート４２ａ、吸収性コア４１の非肌対向面側を被覆する部分を非肌側コアラップシート４２ｂともいう。
【００１７】
本実施形態のナプキン１においては、図２及び図３に示すように、コアラップシート４２における、吸収性コア４１の肌対向面側を被覆する上側部分である肌側コアラップシート４２ａに血球凝集剤が配されている。コアラップシート４２の前記上側部分には、部分的に血球凝集剤が配されている。すなわち、肌側コアラップシート４２ａは、血球凝集剤が配されている凝集剤配置部９と、血球凝集剤が配されていない凝集剤非配置部９Ｎとを有している。
【００１８】
肌側コアラップシート４２ａは、吸収体４の肌対向面側の面を形成する部材である。また、肌側コアラップシート４２ａは、ナプキン１の厚み方向において、表面シート２よりも裏面シート３に近い位置に配されている下方部材の一つである。
血球凝集剤を含む凝集剤配置部９は、吸収性物品の厚み方向において、吸収体４より肌対向面側に位置する部材である表面シート２や、表面シート２と吸収体４との間に所望により配されるサブレイヤー（図示せず）に形成されていても良いが、吸収性物品の厚み方向において表面シート２より下方に位置する下方部材である、サブレイヤー（図示せず）や肌側コアラップシート４２ａに形成されていることが好ましく、本実施形態のナプキン１におけるように、吸収体４の肌対向面側の面を形成する部材に形成されていることが好ましく、特に吸収性コア４１の肌対向面側を被覆する肌側コアラップシート４２ａに形成されていることが好ましい。
【００１９】
また血球凝集剤は２つ以上の部材に含有させても良い。例えば、血球凝集剤を含む凝集剤配置部９は、表面シート２と肌側コアラップシート４２ａに形成されていても良く、表面シート２とサブレイヤー（図示せず）に形成されていても良く、表面シート２とサブレイヤー（図示せず）と肌側コアラップシート４２ａとに形成されていても良い。また血球凝集剤を含む凝集剤配置部９は、肌側コアラップシート４２ａのみに形成されていても良いが、吸収性コア４１の非肌対向面側を被覆する非肌側コアラップシート４２ｂにも血球凝集剤が配されていても良い。
【００２０】
本実施形態のナプキン１における前記血球凝集剤が配されている肌側コアラップシート４２ａは、図３に示すように、排泄部対向部Ｂにおける吸収体４の横方向Ｙの中央部に位置する部分に、凝集剤配置部９を有しており、吸収体４の横方向Ｙの両端近傍に位置する吸収体４の両側部に、凝集剤非配置部９Ｎを有している。
【００２１】
コアラップシートは、単独では保形性が不十分な吸収性コアの保形性を高めたり、吸収性コアの構成材料の漏れだしを防止する目的で使用されるものであり、薄紙や不織布等の繊維シートが使用されている。
薄紙を構成するセルロース系繊維としては、木材パルプ繊維、レーヨン繊維、コットン繊維、酢酸セルロース繊維等が挙げられる。セルロース系繊維の原料パルプとしては、針葉樹クラフトパルプ或いは広葉樹クラフトパルプのような木材パルプ、木綿パルプ或いはワラパルプ等の非木材パルプが挙げられる。これらのセルロース系繊維は１種を単独で又は２種以上を組み合わせて用いることができる。また強度向上の観点から、非セルロース系繊維を少量混合することもできる。非セルロース系繊維としては、ポリエチレン、ポリプロピレン等のポリオレフィン系繊維、ポリエステル、ポリアミド等の縮合系繊維等が挙げられる。薄紙の構成繊維中、セルロース系繊維の割合は、好ましくは７０質量％以上１００質量％以下、より好ましくは９０質量％以上１００質量％以下、更に好ましくは１００質量％である。
【００２２】
コアラップシートとして不織布を用いることもできる。不織布の種類としては、各種製法による不織布を特に制限なく用いることができ、例えば、スパンボンド不織布、メルトブロー不織布、高速水流処理により繊維ウエブの構成繊維同士を交絡させて得られる不織布であるスパンレース不織布、熱風処理により繊維ウエブの構成繊維同士を熱融着させて得られる不織布であるエアスルー不織布、接着剤で繊維ウエブの構成繊維同士を接着させて得られる不織布であるレジンボンド不織布等が挙げられる。スパンレース不織布やエアスルー不織布、レジンボンド不織布の繊維ウエブは、カード機や空気中で繊維を積繊してなるエアレイド法等によって製造することができる。
【００２３】
不織布の原料繊維は、木材パルプ繊維、レーヨン繊維、コットン繊維、酢酸セルロース等のセルロース系の親水性繊維や、ポリエチレン、ポリプロピレン等のポリオレフィン、ポリエチレンテレフタレート等のポリエステル、ナイロン等のポリアミド等の合成樹脂からなる合成繊維が挙げられる。合成繊維は、芯鞘型やサイドバイサイド型の複合繊維を用いることもできる。これらの中でも、薄紙を用いるのと同様の理由から、不織布製法を採った場合も原料繊維がセルロース系繊維であるものが好ましい。不織布の構成繊維中、セルロース系繊維の割合は、好ましくは７０質量％以上１００質量％以下、より好ましくは９０質量％以上１００質量％以下、更に好ましくは１００質量％である。不織布の原料繊維は１種を単独で又は２種以上を組み合わせて用いることができる。
【００２４】
またナプキン１の吸収性コア４１は、好ましくは、セルロース系の親水性繊維であるパルプ繊維と高吸収性ポリマーとの混合積繊体からなる。混合積繊体は、周面に集積用凹部を有する積繊ドラムを備えた公知のドラム式積繊装置により製造されたものであり、集積用凹部の底面から吸引しつつ、積繊ドラムの周面に、吸収性コアの形成材料としてのパルプ繊維及び高吸収性ポリマーを飛散状態にて供給し、吸収性コアの形成材料を集積用凹部内に堆積させた後、集積用凹部から離型して得られるものである。本実施形態のナプキン１の吸収性コア４１は、高吸収性ポリマーを含まないセルロース系の親水性繊維である単独積繊体であっても良い。
【００２５】
吸収性コア４１を構成するセルロース系の親水性繊維としては、木材パルプ繊維、木綿パルプ或いはワラパルプ等の非木材を原料とする非木材パルプ繊維、レーヨン繊維、コットン繊維、酢酸セルロース等系の親水性繊維が挙げられる。これらの繊維は、１種を単独で又は２種以上を組み合わせて用いることができる。また強度向上の観点から、吸収性コア４１には、セルロース系の親水性繊維の他に、ポリエチレン、ポリプロピレン等のポリオレフィンからなるポリオレフィン系繊維、ポリエステル繊維、ポリアミド等の縮合系繊維等の合成繊維を少量混ぜても良い。なお、吸収性コアは、セルロース系の親水性繊維、特に木材パルプ繊維の割合が、吸収性コアの全質量中、１００質量％以下であり、好ましくは５０質量％以上９５質量％以下、より好ましくは６０質量％以上９０質量％以下、更に好ましくは７０質量％以上８０質量％以下である。
【００２６】
本実施形態におけるように、吸収性コア４１には、高吸収性ポリマー（吸水性ポリマー）が含有されていてもよい。高吸収性ポリマーとしては、一般に粒子状のものが用いられるが、繊維状のものでもよい。粒子状の高吸収性ポリマーを用いる場合、その形状は球状、塊状、俵状又は不定形のいずれでもよい。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。吸収性コアは、高吸収性ポリマーの割合が、吸収性コアの全質量中、好ましくは５質量％以上５０質量％以下、より好ましくは１０質量％以上４０質量％以下、更に好ましくは１５質量％以上３０質量％以下である。吸収性コア４１が高吸水性ポリマーを含有することで、吸収性コア４１はより安定的に大量の血液などの排泄液を素早く吸収し、保持することができる。また、吸収性コア４１には、消臭剤や抗菌剤等を必要に応じて配合しても良い。吸収性コア４１における消臭剤及び抗菌剤の配合量には特に制限はなく、当該技術分野で通常配合されている量とすればよい。
【００２７】
コアラップシート４２等のナプキンの構成部材に血球凝集剤を含有させる方法としては、特に制限されないが、例えば、カチオン性ポリマーを含む血球凝集剤を、水、エタノール、及びこれらの混合液等の適宜の溶媒に溶解させ、溶液として、構成部材の所望の箇所に付着させた後、乾燥して溶媒を除去することが、血球凝集剤の塗工をコアラップシート４２等の被塗工シートの製造工程と併せて製造工程と連続する一連の製造ライン中で行い、かつ、血球凝集剤を所望の濃度で被塗工シートへ塗工することが容易となる点から好ましい。
溶液を構成部材に付着させる方法としては、構成部材の所定箇所への溶液の滴下、各種の塗工方法を採用することができる。例えば、スプレー法、ディッピング法、転写法、ダイ塗工、グラビア塗工、インクジェット法、スクリーン印刷等の公知の液体塗工装置を用いた構成部材の所定箇所への液体の塗工等が挙げられる。また、乾燥は、加熱による乾燥、減圧による乾燥、加熱と減圧とを組み合わせた乾燥の何れでも良いが、これらの強制乾燥に代えて自然乾燥でも良い。
【００２８】
肌側コアラップシート４２ａに、凝集剤配置部９及びその両側に位置する凝集剤非配置部９Ｎを形成するには、帯状のコアラップシート連続体に血球凝集剤を塗工するに当たり、該コアラップシート連続体の幅方向の、吸収体４の幅方向の中央部に配される部分のみに血球凝集剤を塗工する。血球凝集剤を塗工したコアラップシート連続体は、吸収性コア４１に重ねて吸収体４の連続体とした後、個々の吸収性物品の寸法に切断して、ナプキン１に組み込む。
【００２９】
本実施形態のナプキン１は、図１及び図２に示すように、ナプキン１の肌対向面における、ナプキン１の縦方向中央線ＣＬの両側それぞれに、縦方向Ｘに延びる側方防漏溝８１，８１を有している。側方防漏溝８１，８１は、少なくとも排泄部対向部Ｂに形成されており、排泄部対向部Ｂにおいては、排泄スポット部Ｐを挟む両側それぞれにおいて、縦方向Ｘに延びている。側方防漏溝８１は、排泄部対向部Ｂから前方部Ａ又は後方部Ｃに亘って延在していることが好ましく、図１に示すように、前方部Ａ、排泄部対向部Ｂ及び後方部Ｃに亘って延在していることがより好ましいが、排泄部対向部Ｂのみに形成されていても良い。
【００３０】
また本実施形態のナプキン１は、ナプキン１の肌対向面における、排泄スポット部Ｐを挟んでその前後に、前方防漏溝８２及び後方防漏溝８３を有している。前方防漏溝８２は、排泄スポット部Ｐより前方に形成されており、縦方向中央線ＣＬを左右に横断して、ナプキン１の横方向Ｙに延びている。後方防漏溝８３は、排泄スポット部Ｐより後方に形成されており、縦方向中央線ＣＬを左右に横断して、ナプキン１の横方向Ｙに延びている。
前方防漏溝８２及び後方防漏溝８３は、それぞれ、少なくとも、ナプキン１の縦方向中央線ＣＬを横方向Ｙに横断していることが好ましい。図１に示すように、前方防漏溝８２は、前方に向かって凸に湾曲した円弧状であることが好ましく、後方防漏溝８３は、後方に向かって凸に湾曲した円弧状であることが好ましい。
ここで、前方防漏溝８２及び後方防漏溝８３に関し、横方向Ｙに延びるとは、全体として概ね横方向Ｙに延びているということであり、ナプキン１の横方向に直線状に延びていても良く、前方に向かって凸に湾曲していても良く、後方に向かって凸に湾曲していても良く、更に、前方に向かって凸の湾曲部と後方に向かって凸の湾曲部とが横方向に連続して形成されている防漏溝であっても良い。
【００３１】
側方防漏溝８１，８１のそれぞれは、排泄スポット部Ｐを挟んで横方向Ｙの両側に位置する部分に、横方向Ｙの外方に向かって凸状に湾曲した平面視形状を有する中央円弧状部８１ｂを有しており、縦方向Ｘにおける中央円弧状部８１ｂの前後に、それぞれ横方向Ｙの外方に向かって凸状に湾曲した平面視形状を有する前方円弧状部８１ａ及び後方円弧状部８１ｃを有している。側方防漏溝８１，８１のそれぞれは、横方向Ｙの外方に向かって凸に湾曲した前記の３つの円弧状部８１ａ，８１ｂ，８１ｃが、縦方向Ｘに３つ連なった平面視形状を有しており、中央円弧状部８１ｂと前方円弧状部８１ａとの接続部及び中央円弧状部８１ｂと後方円弧状部８１ｃとの接続部は、一対の側方防漏溝８１の距離が狭まった括れ部となっている。
また、側方防漏溝８１，８１それぞれの中央円弧状部８１ｂの横方向Ｙの外側に第２側方防漏溝８４を有している。第２側方防漏溝８４は、側方防漏溝８１の中央円弧状部８１ｂと同様に、横方向Ｙの外方に向かって凸状に湾曲した平面視形状を有している。側方防漏溝８１の中央円弧状部８１ｂとその外側の第２側方防漏溝８４とは横方向Ｙに並べて形成されており、相互に略平行に形成されている。
側方防漏溝８１、前方防漏溝８２、後方防漏溝８３、第２側方防漏溝８４は、いずれも、図２に示す側方防漏溝８１及び第２側方防漏溝８４のように、表面シート２と吸収体４とが一体的に窪んだ防漏溝であり、各防漏溝は、例えば、表面シート２と吸収体４とを重ねたものに対して、表面シート２側から一体に、加圧又は加熱及び加圧を伴うエンボス加工を施すことにより形成することができる。
【００３２】
本実施形態のナプキン１においては、肌側コアラップシート４２ａに配された血球凝集剤は、図３に示すように、ナプキン１の横方向Ｙについては、排泄スポット部Ｐに存在し且つ吸収体の横方向の両端４Ｓに達しないように配されており、縦方向Ｘについては、排泄スポット部Ｐに存在し且つ前方防漏溝８２の位置及び後方防漏溝８３の位置のそれぞれを越える位置まで配されている。より具体的には、肌側コアラップシート４２ａは、吸収体４の横方向Ｙの中央部に、凝集剤配置部９を有し、その左右両側に凝集剤非配置部９Ｎを有している。また本実施形態においては、凝集剤配置部９は、排泄スポット部Ｐから前方防漏溝８２を越える位置まで連続して延在し、前方部Ａにおいて、該前方防漏溝８２を縦方向Ｘに縦断している。また凝集剤配置部９は、排泄スポット部Ｐから後方防漏溝８３を越える位置まで連続して延在し、後方部Ｃにおいて、後方防漏溝８３を縦方向Ｘに縦断している。凝集剤配置部９は、前方防漏溝８２の前端から吸収体４の前端方向に、１ｃｍ以上延出していることが好ましく、２ｃｍ以上延出していることが更に好ましく、２ｃｍ以上延出し且つ吸収体４の前端まで達していることが更に好ましい。また、凝集剤配置部９は、前方防漏溝８３の後端から吸収体４の後端方向に、１ｃｍ以上延出していることが好ましく、２ｃｍ以上延出していることが更に好ましく、２ｃｍ以上延出し且つ吸収体４の後端まで達していることが更に好ましい。
【００３３】
本実施形態のナプキン１は、通常の生理用ナプキンと同様に、ショーツのクロッチ部等に固定して使用される。
使用中にナプキン１の排泄スポット部Ｐに経血が排泄されると、それが少量の場合は、排泄スポット部Ｐから吸収体４に吸収されるが、繰り返し排泄されたり、排泄量が多い場合は、血球凝集剤と接触して、血球の凝集塊と赤みの少ない液状成分（血漿成分）とに分離された経血のうち、低粘度の血漿成分が、優先して側方防漏溝８１を伝って縦方向Ｘに流れ、縦方向Ｘに流れた後、吸収体４に吸収される。
しかも、縦方向Ｘに拡散した経血が、前方防漏溝８２又は後方防漏溝８３に到達した場合、赤味のある血球凝集塊が、前方防漏溝８２又は後方防漏溝８３で捕捉され、赤みの少ない液状成分（血漿成分）が、前方防漏溝８２又は後方防漏溝８３を越えて拡散する。赤みの少ない液状成分（血漿成分）は、ナプキン１の吸収体の端部付近に拡散しても赤味を生じさせないため、使用後のナプキン１を見た使用者に、該端部から液が漏れだしたのではないかとの心配や危惧を与えない。しかも、高吸収性ポリマーを含む吸収体の場合、前方防漏溝８２又は後方防漏溝８３を越えて拡散する液状成分（血漿成分）は、吸水性ポリマーの表面に、吸液性を低下させる原因ともなり得る血球凝集塊の被膜を形成しないので、該吸水性ポリマーに効率よく吸収され、吸収体４の縦方向の端部からの液漏れも生じにくい。更に、前方防漏溝８２及び後方防漏溝８３はそれぞれ、横方向Ｙに延びているので、血漿成分を横方向Ｙに導き、場合によって、側方防漏溝８１を伝わって前方部、後方部から排泄部対向部Ｂ方向へと導かれることもあり、吸収体４の縦方向の端部からの液漏れが一層生じ難くなっている。
このような作用により、本実施形態のナプキン１によれば、吸収体の横方向の両端からの液漏れを抑制することができるともに、縦方向への液の拡散性に優れることによって、吸収体の吸収容量を有効活用でき、しかも吸収体の縦方向の端部付近に血球凝集塊の赤味が生じることによる使用者の漏れ不安を防止することができる。吸収体の吸収容量は、本来は液を吸収可能であるが、液が到達しない等により液を吸収しない部分の潜在的な吸収能力を含めた吸収体が本来有する全体としての吸収能力である。
【００３４】
血球凝集剤が、吸収体４の横方向Ｙの両端に達しないように配されていることは、ナプキンの側部での血球の凝集による凝集物の赤みを低減するという利点がある。斯かる利点ないし効果がより確実に得られるようにする観点から、排泄部対向部Ｂ、特に排泄スポット部Ｐが位置する排泄部対向部Ｂの縦方向の中央部において、凝集剤配置部９と吸収体４の横方向Ｙの両端４Ｓ，４Ｓそれぞれとの間の横方向Ｙの距離Ｌｎは、当該部位における吸収体４の横方向Ｙの全幅Ｗ４の、好ましくは１０％以上、より好ましくは２０％以上であり、また好ましくは４０％以下、より好ましくは３０％以下であり、また好ましくは１０％以上４０％以下、より好ましくは２０％以上３０％以下である。
また、経血を縦方向Ｘへ拡散し、吸収体の利用効率を高める観点から、排泄部対向部Ｂ、特に排泄スポット部Ｐが位置する排泄部対向部Ｂの縦方向の中央部において、凝集剤配置部９の横方向Ｙの長さＬ９は、当該部位における吸収体４の横方向Ｙの全幅Ｗ４の、好ましくは６０％以上、より好ましくは７０％以上であり、また好ましくは９０％以下、より好ましくは８０％以下であり、また好ましくは６０％以上９０％以下、より好ましくは７０％以上８０％以下である。
【００３５】
また、吸収体４の縦方向Ｘの広い範囲の吸収能力の有効活用の観点から、前方防漏溝８２は、図１に示すように、ウイング部７の前端より前方に位置する前方部Ａに形成され、図３に示すように、血球凝集剤が、排泄スポット部Ｐから、その前方防漏溝８２の位置を越える位置まで配されていることが好ましい。凝集剤配置部９が縦断する前方防漏溝８２は、少なくとも一部が、前方部Ａに位置することが好ましく、その全体が前方部Ａに位置することが好ましい。
また、吸収体４の縦方向Ｘの広い範囲の吸収能力の有効活用の観点から、後方防漏溝８３は、図１に示すように、ウイング部７の後端より後方に位置する後方部Ｃに形成され、図３に示すように、血球凝集剤が、排泄スポット部Ｐから、その後方防漏溝８３の位置を越える位置まで配されていることが好ましい。凝集剤配置部９が縦断する後方防漏溝８３は、少なくとも一部が、後方部Ｃに位置することが好ましく、その全体が後方部Ｃに位置することが好ましい。
【００３６】
上述した一又は二以上の効果が一層確実に奏されるようにする観点から、肌側コアラップシート４２ａ等の血球凝集剤が配されている部材は、凝集剤配置部９の縦方向Ｘの長さが、吸収体４の縦方向Ｘの全長Ｌ４に対して、好ましくは５０％以上、より好ましくは６０％以上であり、また好ましくは１００％以下、より好ましくは９０％以下であり、また好ましくは５０％以上１００％以下、より好ましくは６０％以上９０％以下である。
また、吸収体４は、通常、縦方向Ｘの全長Ｌ４が横方向Ｙの最大長さより長く、凝集剤配置部９も、通常、縦方向Ｘの長さが横方向Ｙの長さより長い。凝集剤配置部９の縦方向Ｘの長さは、横方向Ｙの長さの好ましくは１．５倍以上、より好ましくは２倍以上であり、また好ましくは１０倍以下、より好ましくは５倍以下であり、また好ましくは１．５倍以上１０倍以下、より好ましくは２倍以上５倍以下である。
【００３７】
本実施形態のナプキン１においては、図３に示すように、排泄部対向部Ｂにおける縦方向中央線ＣＬの両側それぞれに、側方防漏溝８１の中央円弧状部８１ｂが形成され、その横方向の外側に第２側方防漏溝８４が形成されている。肌側コアラップシート４２ａの凝集剤配置部９は、側方防漏溝８１に達している一方、第２側方防漏溝８４には達していない。
本実施形態のように、側方防漏溝８１の外側に第２側方防漏溝８４を有し、血球凝集剤が、排泄スポット部Ｐの左右両側それぞれにおいて、第２側方防漏溝８４より内側のみに配されていると、血球の凝集により生成した凝集物が効果的に側方防漏溝８１および第２側方防漏溝８４に捕捉され、ナプキン側部での赤みを低減できる。
【００３８】
更に、図３に示すように、排泄スポット部Ｐの左右両側それぞれに、血球凝集剤が、側方防漏溝８１に達し且つ第２側方防漏溝８４に達しない部位を有していても良い。排泄部対向部Ｂに、斯かる部位を有すると、血球の凝集により分離した血漿成分が効果的に吸収体の縦方向Ｘへ拡散するため、吸収体利用効率が向上する。
【００３９】
血球凝集剤は、図４に示すように、排泄スポット部Ｐの左右両側それぞれにおいて、側方防漏溝８１より内側のみに配されていることも好ましい。側方防漏溝８１と重なる部位に血球凝集剤が存在しないことにより、血球凝集塊が、側方防漏溝８１に溜まりにくくなり、経血ないし血漿の、縦方向Ｘへの拡散性が向上する。
斯かる効果は、第２側方防漏溝８４を有しない場合も同様に奏される。
なお、排泄スポット部Ｐの両側それぞれに、図１及び図４に示す側方防漏溝８１及び第２側方防漏溝８４のような、縦方向Ｙに延びる２本以上の防漏溝を有する場合、排泄スポット部Ｐに近い、横方向Ｙ内側の防漏溝を側方防漏溝８１とし、横方向Ｙ外側の防漏溝を第２側方防漏溝８４とする。図４中には、図１に示すナプキン１の構成要素と同様の構成要素に同一の符号を付してある。
【００４０】
本実施形態のナプキン１における側方防漏溝８１，８１は、前方部Ａ側の端部どうしが、前方防漏溝８２を介して連結されており、その前方防漏溝８２の全体又は一部を前述した凝集剤配置部９が縦断している。これにより、排泄スポット部Ｐに排泄されて平面方向に拡散する経血が、前方防漏溝８２の凝集剤配置部９と重なる部分に効率よく運ばれ、それによって、吸収体４の前端からの液漏れ及び該前端付近の赤味の発生を一層効率よく防止することができる。
また本実施形態のナプキン１における側方防漏溝８１，８１は、後方部Ｃ側の端部どうしが、後方防漏溝８３を介して連結されており、その後方防漏溝８３の全体又は一部を前述した凝集剤配置部９が縦断している。これにより、排泄スポット部Ｐに排泄されて平面方向に拡散する経血が、後方防漏溝８３の凝集剤配置部９と重なる部分に効率よく運ばれ、それによって、吸収体４の後端からの液漏れ及び該後端付近の赤味の発生を一層効率よく防止することができる。
また、いずれの場合においても、血球凝集剤によって分離した血漿成分が、横方向Ｙに延びる前方防漏溝８２、後方防漏溝８３から側方防漏溝８１へと受け渡され易くなっており、血漿成分が縦方向Ｙの排泄部対向部Ｂ側へと移動し易くなって、吸収体全面を吸収領域として活用し易くなることから、液漏れ抑制が一層向上する。
吸収体４の前後端からの液漏れ及び吸収体４の縦方向の両端の赤味の発生を防止する観点から、前方防漏溝８２、側方防漏溝８１及び後方防漏溝８３は、図３に示すように、連続して環状の防漏溝８０を形成していることが更に好ましい。
【００４１】
本発明における、側方防漏溝８１、前方防漏溝８２、後方防漏溝８３及び第２側方防漏溝８４は、前述したとおり、表面シート２と吸収体４とに一体的にエンボス加工を施して形成することができるが、これらの防漏溝は、底部に高圧搾部と低圧搾部とを有する防漏溝であることが好ましい。底部に設ける高圧搾部及び低圧搾部の配置態様は、種々知られており、公知のものを特に制限なく用いることができる。底部８ａに高圧搾部８ｂ及び低圧搾部８ｃを設けた防漏溝８のいくつかの例を図５に示す。図１及び図５に示す各防漏溝は、エンボスロールとして、その外周面に設けた凸条部の先端に、更に突出する高圧搾部８ｂ形成用の凸部を設けたものを用い、そのエンボスロールとアンビルロールとの間で、表面シート及び吸収体を一体的に加熱及び加圧して形成したものである。
【００４２】
防漏溝が、その底部に高圧搾部及び低圧搾部を有すると、血漿成分の拡散性向上と赤味を生じる血球凝集物の捕捉性の向上が両立できる。そのため、側方防漏溝８１、第２側方防漏溝８４、前方防漏溝８２や後方防漏溝８３が、底部に高圧搾部及び低圧搾部を有すると、血球の凝集により生成する凝集塊は高圧搾部および低圧搾部のどちらにも捕捉されるが、血漿成分は低圧搾部を通過し、前方防漏溝８２および後方防漏溝８３の外方まで拡散できる。
【００４３】
本発明に用いられる血球凝集剤としては、血液中の赤血球を凝集させる作用を有するものが用いられる。本発明で用いる血球凝集剤は、好ましくは、血液中の赤血球を凝集させて赤血球の凝集塊を形成し、血漿成分と分離しうるものであり、好ましくは以下の性質を有するものである。即ち、擬似血液に、測定サンプル剤を１０００ｐｐｍ添加した際に、血液の流動性が維持された状態で、少なくとも２個以上の赤血球が凝集して凝集塊を形成するものである。前記擬似血液は、Ｂ型粘度計（東機産業株式会社製    型番ＴＶＢ−１０Ｍ、測定条件：ローターＮｏ．１９、３０ｒｐｍ、２５℃、６０秒間）を用いて測定した粘度が８ｍＰａ・ｓになるように、脱繊維馬血（株式会社日本バイオテスト研究所製）の血球・血漿比率を調製したものである。
斯かる血球凝集剤の詳細は、特開２０１７−１１３５１３号公報に記載されており、当該公報に血液凝集剤として記載の各種のものを本発明の血球凝集剤として用いることができる。
【００４４】
血球凝集剤は、カチオン性ポリマーを含んでいることが好ましい。カチオン性ポリマーとしては、例えばカチオン化セルロースや、塩化ヒドロキシプロピルトリモニウムデンプン等のカチオン化デンプンなどが挙げられる。また、血球凝集剤は、カチオン性ポリマーとして、第４級アンモニウム塩ホモポリマー、第４級アンモニウム塩共重合物又は第４級アンモニウム塩重縮合物を含むこともできる。本発明において「第４級アンモニウム塩」とは、窒素原子の位置にプラス一価の電荷を有している化合物、又は中和によって窒素原子の位置にプラス一価の電荷を生じさせる化合物を包含し、その具体例としては、第４級アンモニウムカチオンの塩、第３級アミンの中和塩、及び水溶液中でカチオンを帯びる第３級アミンが挙げられる。以下に述べる「第４級アンモニウム部位」も同様の意味で用いられ、水中で正に帯電する部位である。また、本発明において「共重合物」とは、２種以上の重合性単量体の共重合によって得られた重合物のことであり、二元系共重合物及び三元系以上の共重合物の双方を包含する。本発明において「重縮合物」とは、２種以上の単量体からなる縮合物を重合することで得られた重縮合物である。血球凝集剤が、カチオン性ポリマーとして、第４級アンモニウム塩ホモポリマー及び／又は第４級アンモニウム塩共重合物及び／又は第４級アンモニウム塩重縮合物を含む場合、該血球凝集剤は、第４級アンモニウム塩ホモポリマー、第４級アンモニウム塩共重合物及び第４級アンモニウム塩重縮合物のうちのいずれか１種を含んでいてもよく、あるいは任意の２種以上の組み合わせを含んでいてもよい。また第４級アンモニウム塩ホモポリマーは、１種を単独で又は２種以上を組み合わせて用いることができる。同様に、第４級アンモニウム塩共重合物は、１種を単独で又は２種以上を組み合わせて用いることができる。更に同様に、第４級アンモニウム塩重縮合物は、１種を単独で又は２種以上を組み合わせて用いることができる。なお、本明細書において「血球凝集剤」とは、血液の赤血球を凝集させることができる化合物又はその組合せ、更には化合物の組み合わせによって赤血球の凝集を発現する剤のことである。つまり、血球凝集剤とは、あくまで血球凝集作用があるものに限定した剤のことである。したがって、血球凝集剤に第三成分を含む場合には、それを血球凝集剤組成物と表現し、血球凝集剤と区別する。
【００４５】
上述した各種のカチオン性ポリマーのうち、特に、第４級アンモニウム塩ホモポリマー、第４級アンモニウム塩共重合物又は第４級アンモニウム塩重縮合物を用いることが、赤血球への吸着性の点から好ましい。以下の説明においては、簡便のため、第４級アンモニウム塩ホモポリマー、第４級アンモニウム塩共重合物及び第４級アンモニウム塩重縮合物を総称して「第４級アンモニウム塩ポリマー」と言う。
【００４６】
カチオン性ポリマーは、その分子量が２０００以上であることが好ましく、１万以上であることが更に好ましく、３万以上であることが一層好ましい。カチオン性ポリマーの分子量がこれらの値以上であることによって、赤血球間でのカチオン性ポリマーどうしの絡み合いや、赤血球間でのカチオン性ポリマーの架橋が十分に生じる。分子量の上限値は１０００万以下であることが好ましく、５００万以下であることが更に好ましく、３００万以下であることが一層好ましい。カチオン性ポリマーの分子量がこれらの値以下であることによって、カチオン性ポリマーが経血中へ良好に溶解する。カチオン性ポリマーの分子量は、２０００以上１０００万以下であることが好ましく、２０００以上５００万以下であることが更に好ましく、２０００以上３００万以下であることが一層好ましく、１万以上３００万以下であることが更に一層好ましく、３万以上３００万以下であることが特に好ましい。本発明に言う分子量とは、重量平均分子量のことであり、当該分子量は、特開２０１７−１１３５１３号公報の段落〔００３２〕に記載の測定方法及び測定条件にて測定する。
【００４７】
カチオン性ポリマーは、主鎖とそれに結合した複数の側鎖とを有する構造のものであることが好ましい。特に第４級アンモニウム塩ポリマーは、主鎖とそれに結合した複数の側鎖とを有する構造のものであることが好ましい。第４級アンモニウム部位は側鎖に存在していることが好ましい。この場合、主鎖と側鎖とが１点で結合していると、側鎖の可撓性が阻害されにくくなり、側鎖に存在している第４級アンモニウム部位が赤血球の表面に円滑に吸着するようになる。尤も本発明において、カチオン性ポリマーの主鎖と側鎖とが２点又はそれ以上で結合していることは妨げられない。本発明において「１点で結合している」とは、主鎖を構成する炭素原子のうちの１個が、側鎖の末端に位置する１個の炭素原子と単結合していることをいう。「２点以上で結合している」とは、主鎖を構成する炭素原子のうちの２個以上が、側鎖の末端に位置する２個以上の炭素原子とそれぞれ単結合していることをいう。
【００４８】
カチオン性ポリマーが、主鎖とそれに結合した複数の側鎖とを有する構造のものである場合、例えば第４級アンモニウム塩ポリマーが、主鎖とそれに結合した複数の側鎖とを有する構造のものである場合、各側鎖の炭素数は４以上であることが好ましく、５以上であることが更に好ましく、６以上であることが一層好ましい。炭素数の上限値は、１０以下であることが好ましく、９以下であることが更に好ましく、８以下であることが一層好ましい。例えば側鎖の炭素数は４以上１０以下であることが好ましく、５以上９以下であることが更に好ましく、６以上８以下であることが一層好ましい。側鎖の炭素数とは、該側鎖における第４級アンモニウム部位（カチオン部位）の炭素数のことであり、対イオンであるアニオン中に炭素が含まれているとしても、その炭素は計数に含まない。特に、側鎖の炭素原子のうち、主鎖に結合している炭素原子から、第４級窒素に結合している炭素原子までの炭素数が前述の範囲であることが、第４級アンモニウム塩ポリマーが赤血球の表面の表面に吸着するときの立体障害性が低くなるので好ましい。
【００４９】
また、本発明で用いる血球凝集剤は、ポリカチオン（カチオン性ポリマー）以外に、第三成分、例えば、溶媒、可塑剤、香料、抗菌・消臭剤、スキンケア剤等の他の成分を１種以上含んだ組成物（血球凝集剤組成物）の形態であってもよい。溶媒としては、水、炭素数１ないし４の飽和脂肪族一価アルコール等の水溶性有機溶媒、又は該水溶性有機溶媒と水との混合溶媒などを用いることができる。可塑剤としては、グリセリン、ポリエチレングリコール、プロピレングリコール、エチレングリコール、１，３−ブタンジオールなどを用いることができる。香料としては、特許第４７７６４０７号公報に記載されているグリーンハーバル様香気を有する香料、植物の抽出エキス、柑橘類の抽出エキスなどを用いることができる。抗菌・消臭剤としては、特許第４５２６２７１号公報に記載されている抗菌性を有する金属を含むカンクリナイト様鉱物、特許第４５８７９２８号公報に記載されているフェニル基を有する重合性モノマーから重合された多孔性ポリマー、特許第４６５１３９２号公報に記載されている第４級アンモニウム塩、活性炭、粘土鉱物などを用いることができる。スキンケア剤としては、特許第４０８４２７８号公報に記載されている植物エキス、コラーゲン、天然保湿成分、保湿剤、角質柔軟化剤、消炎剤などを用いることができる。
【００５０】
前記血球凝集剤組成物に占めるカチオン性ポリマーの割合は、１質量％以上であることが好ましく、３質量％以上であることが更に好ましく、５質量％以上であることが一層好ましい。また、５０質量％以下であることが好ましく、３０質量％以下であることが更に好ましく、１０質量％以下であることが一層好ましい。前記血球凝集剤組成物に占めるカチオン性ポリマーの割合をこの範囲内に設定することで、吸収性物品に有効量のカチオン性ポリマーを付与することができる。
【００５１】
また血球凝集剤は、水溶性のカチオン性ポリマーが挙げられる。
水溶性のカチオン性ポリマーに関し、「水溶性」とは、１００ｍＬのガラスビーカー（５ｍｍΦ）に０．０５ｇの１ｍｍ以下の粉末状又は厚み０．５ｍｍ以下のフィルム状カチオン性ポリマーを２５℃の５０ｍＬイオン交換水に添加混合したときに、長さ２０ｍｍ、幅７ｍｍのスターラーチップを入れ、アズワン株式会社製マグネチックスターラーＨＰＳ−１００を用いて６００ｒｐｍ攪拌下、その全量が２４時間以内に水に溶解する性質のことである。なお、更に好ましい溶解性としては、全量が３時間以内に水に溶解することが好ましく、全量が３０分以内に水に溶解することが更に好ましい。
【００５２】
凝集剤配置部９は、血球凝集剤の単位面積当たりの量（以下、坪量ともいう）が、好ましくは２ｇ／ｍ2以上、より好ましくは４ｇ／ｍ2以上であり、また好ましくは２０ｇ／ｍ2以下、より好ましくは１０ｇ／ｍ2以下であり、また２ｇ／ｍ2以上２０ｇ／ｍ2以下、より好ましくは４ｇ／ｍ2以上１０ｇ／ｍ2以下である。
ここでいう、血球凝集剤の量とは、血球凝集剤がカチオン性ポリマーである場合、そのカチオン性ポリマーの純分量であり、血球凝集剤の単位面積当たりの量は、例えば、以下のようにして求められる。
［測定方法］
カチオン性ポリマーを溶解させた溶液を配置させた後、３０℃１０％ＲＨの条件下で２４時間静置して乾燥させ、凝集剤配置部を切り出し、その面積を測定し、凝集剤配置前後の重量を比較することで、乾燥後に含有する単位面積当たりの血球凝集剤の存在量として算出する。
【００５３】
以上、本発明について説明したが、本発明は前述した実施形態に制限されず、本発明の趣旨を逸脱しない範囲で適宜変更可能である。例えば、腹側コアラップシートに代えて、表面シート２又はサブレイヤーに、血球凝集剤が図３又は図４に示す態様で配されていても良い。
【００５４】
また、本発明の吸収性物品は、第２側方防漏溝８４を有しないものであっても良く、また血球凝集剤が、排泄スポットＰから、前方防漏溝８２及び後方防漏溝８３のいずれか一方のみを越える位置まで配されていても良い。また前方防漏溝８２及び後方防漏溝８３は、一方又は双方が側方防漏溝８１と連続していないものであっても良い。
また本発明の吸収性物品は、サイド防漏シート及びそれによる防漏機構を有しないものであっても良く、ウイング部を有しないものであっても良い。また、本発明の吸収性物品は、生理用ナプキンの他、パンティーライナー（おりものシート）等であってもよい。
【実施例】
【００５５】
以下、本発明を実施例により更に詳細に説明する。しかしながら本発明の範囲はかかる実施例によって何ら制限されるものではない。
〔実施例１〕
図１及び図２に示す生理用ナプキンと同様の構成を有する生理用ナプキンを作成し、これを実施例１の生理用ナプキンとした。表面シートとしては、坪量３０ｇ／ｍ2のエアスルー不織布を用い、裏面シートとしては、坪量２８ｇ／ｍ2の非透湿性のポリプロピレンフィルムを用い、サイド防漏シートとしては、坪量２０ｇ／ｍ2のスパンボンド不織布を用いた。吸収体としては、坪量２８０ｇ／ｍ2のパルプ繊維及び高吸収性ポリマーの混合積繊物をコアラップシートで被覆した、縦方向の長さが１８６ｍｍ、横方向の長さが７０ｍｍの大きさのものを用いた。
コアラップシートは、坪量１６ｇ／ｍ2のセルロース繊維からなるシート基材における、吸収性コアの肌対向面側の面を被覆する部分に、血球凝集剤を、図２及び図３に示す態様で分布するように塗工した後、乾燥させたものを用いた。得られたコアラップシートは、吸収性コアの肌対向面側を被覆する部分の横方向中央部に、カチオン性ポリマーの坪量が６ｇ／ｍ2の凝集剤配置部９が形成されていた。
血球凝集剤としては、ニットーボーメディカル社製の「ＰＡＳ−Ｈ−５Ｌ」を用いた。この血球凝集剤は、水溶性の第４級アンモニウム塩ホモポリマーであるポリＤＡＤＭＡＣ（重量平均分子量：３万）を含んでいる。
【００５６】
〔比較例１〕
血球凝集剤の塗工幅は実施例１と同じとし、血球凝集剤を塗工する吸収体縦方向の範囲を、前方防漏溝より内側に１０ｍｍの位置から後方防漏溝より内側に１０ｍｍの位置までとした以外は、実施例１と同様にして、比較例１の生理用ナプキンを作成した。
【００５７】
〔比較例２〕
コアラップシートとして、前記のシート基材に全く血球凝集剤を塗工しないものを用いた以外は、実施例１と同様にして、比較例２の生理用ナプキンを作成した。
【００５８】
〔評価〕
実施例及び比較例の各生理用ナプキンについて、それぞれ以下の方法により、吸収性能、吸収体の吸収容量の活用の程度、及びナプキン端部での赤味の発現抑制性を評価し、それらの結果を表１に示した。
【００５９】
＜吸収性能＞
以下の方法により動的最大吸収量を測定し、その測定結果に基づき、以下の評価基準により吸収性能を評価した。
（動的最大吸収量の測定方法）
評価対象の生理用ナプキンを生理用ショーツに固定し、人体の動的モデルに装着した。人体の動的モデルとしては、両脚を歩行運動させることが可能な可動式女性腰部モデルを用いた。動的モデルの歩行動作を開始させ、歩行動作開始より１分後に、液排泄点より２ｇの疑似血液を注入した（１回目）。更に１回目の液注入終了より３分後に３ｇの疑似血液を注入した（２回目）。更に２回目の液注入終了より３分後に２ｇの疑似血液を注入した（３回目）。３回目以降は、液注入後から３分後に２ｇの疑似血液を注入する操作を繰り返し、生理用ナプキンのウイング部から疑似血液が染み出した時点で液注入操作を終了し、その時点までに注入した疑似血液の総重量を動的最大吸収量とした。
擬似血液は、Ｂ型粘度計（東機産業株式会社製    型番ＴＶＢ−１０Ｍ、測定条件：ローターＮｏ．１９、３０ｒｐｍ、２５℃、６０秒間）を用いて測定した粘度が８ｍＰａ・ｓになるように、脱繊維馬血（株式会社日本バイオテスト研究所製）の血球・血漿比率を調製したものを用いた。
【００６０】
（評価基準）
各生理用ナプキンについて、動的最大吸収量の測定値に基づき、以下の基準で、吸収性能を評価した。動的最大吸収量が多いほど、経血の吸収性能に優れることを示す。
Ａ：動的最大吸収量１３ｇ以上
Ｂ：動的最大吸収量１３ｇ未満
【００６１】
＜吸収体の吸収容量の活用の程度＞
以下の方法により吸収体拡散面積を測定し、その測定結果に基づき、以下の評価基準により吸収体の吸収容量の活用の程度を評価した。
（吸収体拡散面積の測定方法）
各生理用ナプキンをアクリル板に固定し、液排スポット部Ｐ相当個所に３ｇの擬似血液を注入し、液注入終了より３分静置させ、３分静置後に再び３ｇの擬似血液を注入した。この擬似血液及び３分間静置の操作を、血液が９ｇ注入されるまで繰り返した後、表面シート側から観察し、吸収体で経血が拡がっている部分の面積を測定し、吸収体拡散面積とした。
【００６２】
（評価基準）
各生理用ナプキンについて、吸収体拡散面積に基づき、以下の基準で、吸収体の吸収容量の活用の程度を評価した。吸収体拡散面積が広いほど、吸収体の吸収材料が吸収に利用され、吸収体の吸収容量の活用の程度が高いことを示す。但し、吸収体拡散面積が７０ｃｍ2超であると、吸収体の長手または幅方向の端部へ到達している恐れがあり、吸収体からの液漏れを生じる可能性が高まること示す。。
Ａ：吸収体拡散面積が５０ｃｍ2以上７０ｃｍ2以下
Ｂ：吸収体拡散面積が５０ｃｍ2未満
【００６３】
＜ナプキン端部での赤味の発現抑制性＞
各生理用ナプキンを、水平に配置したアクリル板に固定し、排泄スポット部Ｐ相当個所より３ｇの擬似血液を注入し、液注入終了より３分静置させ、３分静置後に再び３ｇの擬似血液を注入した。この擬似血液及び３分間静置の操作を、血液が９ｇ注入されるまで繰り返した後、色差計を用いて、上記排泄スポット部Ｐ相当個所（排泄部対向部Ｂの縦方向及び横方向の中央部）及び該排泄スポット部Ｐ相当個所と横方向Ｙの位置が同位置における吸収体の縦方向の端部について、Ｌ*値ａ*値をそれぞれ測定し、赤味を確認した。色差計は、日本電色工業社製、NF333を用いた。
【００６４】
（評価基準）
各生理用ナプキンについて、吸収体の縦方向の端部でのＬ*値ａ*値に基づき、以下の基準で、ナプキン端部での赤味の発現抑制性を評価した。端部のＬ＊値が大きいほど、ナプキンの縦方向の端部での赤味の発現抑制性に優れることを示す。
〇：Ｌ*値６５以上、かつａ*値５未満
△：Ｌ*値６０以上６５未満、又はａ*値５以上１０未満
×：Ｌ*値６０未満、又はａ*値１０以上
【００６５】
【表１】
2019083863.tif 000003
【００６６】
表１の結果によれば、実施例１の生理用ナプキンは、比較例２の生理用ナプキンと比べて、吸収性能、吸収体の吸収容量の有効活用の程度、及び吸収体の端部での赤味発現の抑制性のいずれについても向上しており、比較例１の生理用ナプキンと比べても、吸収体の吸収容量の有効活用の程度及び吸収体の端部での赤味発現の抑制性が向上している。このことから、血球凝集剤を、排泄スポット部から前方防漏溝又は後方防漏溝を越える位置まで配することにより、吸収性能を高めることができる上に、吸収体の端部での赤味の発現を抑制し、吸収体の吸収容量を有効活用することができることが判る。
【符号の説明】
【００６７】
１  生理用ナプキン（吸収性物品）
２  表面シート
３  裏面シート
４  吸収体
４１  吸収性コア
４２  コアラップシート
４２ａ  肌側コアラップシート（吸収性コアの肌対向面側を被覆するコアラップシート）
５  吸収性本体
６  サイド防漏シート
７  ウイング部
８  防漏溝
８１  側方防漏溝
８２  前方防漏溝
８３  後方防漏溝
８４  第２側方防漏溝
９  凝集剤配置部
Ａ  前方部
Ｂ  排泄部対向部
Ｐ  排泄スポット部
Ｃ  後方部
【図１】
2019083863.tif 000004
【図２】
2019083863.tif 000005
【図３】
2019083863.tif 000006
【図４】
2019083863.tif 000007
【図５】
2019083863.tif 000008